(57)【要約】【課題】送信動作をより確実に行うことができる通信端末装置を提供することを目的としている。【解決手段】同一送信ジョブについては、同一の通信履歴情報を適用するようにしているので、例えば、発呼復帰動作において送信が正常に終了した場合、その時点で、通信結果に「ＯＫ」が保存され、その結果、通信が正常に終了した旨が、適切に通信履歴情報に保存されるという効果も得る。【選択図】          図１
2004247933.tif 000002
【特許請求の範囲】
【請求項１】
メッセージを表示する表示手段と、
画情報を蓄積する画情報蓄積手段と、
上記蓄積された画情報を発呼し送信する通信手段と、
自装置の操作を入力するための操作入力手段とを備え、
上記蓄積された画情報を送信するために指定された宛先へ、所定回数発呼しても通信が正常に終了しなかった場合には、所定の保存パラメータを参照した所定の条件が成立するまでの間に上記操作入力手段から発呼復帰指示が入力されると上記宛先へ繰り返し発呼動作を行う一方、
通信の履歴情報には、上記発呼復帰指示が入力された際の発呼動作を含めた通信結果を、通信の都度保存することを特徴とする通信端末装置。
【請求項２】
メッセージを表示する表示手段と、
画情報を蓄積する画情報蓄積手段と、
上記蓄積された画情報を発呼し送信する通信手段と、
自装置の操作を入力するための操作入力手段とを備え、
上記蓄積された画情報を送信するために指定された宛先へ、所定回数発呼しても通信が正常に終了しなかった場合には、所定の保存パラメータを参照した所定の条件が成立するまでの間に上記操作入力手段から発呼復帰指示が入力されると上記宛先へ繰り返し発呼動作を行う一方、
通信の履歴情報に通信結果の保存項目を１つ設け、当該保存項目には、上記発呼復帰指示が入力された際の発呼動作を含めた通信結果を、通信の都度保存することを特徴とする通信端末装置。
【請求項３】
メッセージを表示する表示手段と、
画情報を蓄積する画情報蓄積手段と、
上記蓄積された画情報を発呼し送信する通信手段と、
自装置の操作を入力するための操作入力手段とを備え、
上記蓄積された画情報を送信するために指定された宛先へ、所定回数発呼しても通信が正常に終了しなかった場合には、所定の保存パラメータを参照した所定の条件が成立するまでの間に上記操作入力手段から発呼復帰指示が入力されると上記宛先へ繰り返し発呼動作を行う一方、
通信の履歴情報に通信結果の保存項目を複数設け、当該保存項目には、上記発呼復帰指示が入力された際の発呼動作を含めた通信結果を、通信の都度保存することを特徴とする通信端末装置。
【請求項４】
メッセージを表示する表示手段と、
画情報を蓄積する画情報蓄積手段と、
上記蓄積された画情報を発呼し送信する通信手段と、
自装置の操作を入力するための操作入力手段とを備え、
送信時は、上記蓄積された画情報を送信するために指定された宛先へ、通常送信モードで所定回数発呼しても通信が正常に終了しなかった場合には、所定の保存パラメータを参照した所定の条件が成立するまでの間に上記操作入力手段から発呼復帰指示が入力されると再送信モードで上記宛先へ繰り返し発呼動作を行う一方、
受信時は、上記通常送信モードに対応した受信動作と、上記再送信モードに対応した受信動作をそれぞれ行い、おのおのの受信動作について、通信の履歴情報には、通常送信モードと再送信モードの区別を保存することを特徴とする通信端末装置。
【請求項５】
前記再送信モードは、伝送前手順中において、受信側へ通知することを特徴とする請求項４記載の通信端末装置。
【請求項６】
メッセージを表示する表示手段と、
画情報を蓄積する画情報蓄積手段と、
上記蓄積された画情報を発呼し送信する通信手段と、
自装置の操作を入力するための操作入力手段とを備え、
送信時は、上記蓄積された画情報を送信するために指定された宛先へ、通常送信モードで所定回数発呼しても通信が正常に終了しなかった場合には、所定の保存パラメータを参照した所定の条件が成立するまでの間に上記操作入力手段から発呼復帰指示が入力されると再送信モードで上記宛先へ繰り返し発呼動作を行うとともに、同一送信対象については、共通の識別情報を適用して受信側へ通知する一方、
受信時は、上記通常送信モードに対応した受信動作と、上記再送信モードに対応した受信動作をそれぞれ行い、おのおのの受信動作について、通信の履歴情報には、通知された上記識別情報と通常送信モードと再送信モードの区別を保存することを特徴とする通信端末装置。
【請求項７】
前記再送信モードと前記識別情報は、伝送前手順中において、受信側へ通知されることを特徴とする請求項６記載の通信端末装置。
【請求項８】
メッセージを表示する表示手段と、
画情報を蓄積する画情報蓄積手段と、
上記蓄積された画情報を発呼し送信する通信手段と、
自装置の操作を入力するための操作入力手段とを備え、
上記蓄積された画情報を送信するために指定された宛先へ、通常送信モードで所定回数発呼しても通信が正常に終了しなかった場合には、所定の保存パラメータを参照した所定の条件が成立するまでの間に上記操作入力手段から発呼復帰指示が入力されると再送信モードで上記宛先へ繰り返し発呼動作を行うことを特徴とする通信端末装置。
【請求項９】
メッセージを表示する表示手段と、
画情報を蓄積する画情報蓄積手段と、
上記蓄積された画情報を発呼し送信する通信手段と、
自装置の操作を入力するための操作入力手段とを備え、
受信時、送信側より通知される通常送信モードに対応した受信動作と、再送信モードに対応した受信動作をそれぞれ行い、おのおのの受信動作について、通信の履歴情報には、通常送信モードと再送信モードの区別を保存することを特徴とする通信端末装置。
【請求項１０】
メッセージを表示する表示手段と、
画情報を蓄積する画情報蓄積手段と、
上記蓄積された画情報を発呼し送信する通信手段と、
自装置の操作を入力するための操作入力手段とを備え、
上記蓄積された画情報を送信するために指定された宛先へ、通常送信モードで所定回数発呼しても通信が正常に終了しなかった場合には、所定の保存パラメータを参照した所定の条件が成立するまでの間に上記操作入力手段から発呼復帰指示が入力されると再送信モードで上記宛先へ繰り返し発呼動作を行うとともに、同一送信対象については、共通の識別情報を適用して受信側へ通知することを特徴とする通信端末装置。
【請求項１１】
メッセージを表示する表示手段と、
画情報を蓄積する画情報蓄積手段と、
上記蓄積された画情報を発呼し送信する通信手段と、
自装置の操作を入力するための操作入力手段とを備え、
受信時、送信側より通知される上記通常送信モードに対応した受信動作と、上記再送信モードに対応した受信動作をそれぞれ行い、おのおのの受信動作について、通信の履歴情報には、送信側より通知された上記識別情報と通常送信モードと再送信モードの区別を保存することを特徴とする通信端末装置。
【請求項１２】
前記所定の保存パラメータは、保存をつづける保持時間に相当するものであり、前記所定の条件は、保存パラメータの時間に達するかあるいは超えることであることを特徴とする請求項１または請求項２または請求項３または請求項４または請求項５または請求項６または請求項７または請求項８または請求項１０記載の通信端末装置。
【請求項１３】
前記所定の保存パラメータは、蓄積されている画情報の件数であり、前記所定の条件は、蓄積された画情報の件数が、上記保存パラメータに達するかあるいは超えるを超えることであることを特徴とする請求項１または請求項２または請求項３または請求項４または請求項５または請求項６または請求項７または請求項８または請求項１０記載の通信端末装置。
【請求項１４】
前記所定の保存パラメータは、画情報を蓄積しているメモリの残量であり、前記所定の条件は、画情報を蓄積しているメモリの残量が、上記保存パラメータ以下になったことであることを特徴とする請求項１または請求項２または請求項３または請求項４または請求項５または請求項６または請求項７または請求項８または請求項１０記載の通信端末装置。
【請求項１５】
前記所定の保存パラメータは、画情報を蓄積しているメモリ容量であり、前記所定の条件は、画情報を蓄積しているメモリの容量が、上記保存パラメータに達するかあるいは超えることであることを特徴とする請求項１または請求項２または請求項３または請求項４または請求項５または請求項６または請求項７または請求項８または請求項１０記載の通信端末装置。
【請求項１６】
前記所定の保存パラメータは、時刻であり、前記所定の条件は、時刻が、上記保存パラメータで規定された時刻に達するかあるいは超えることであることを特徴とする請求項１または請求項２または請求項３または請求項４または請求項５または請求項６または請求項７または請求項８または請求項１０記載の通信端末装置。
【請求項１７】
前記通信履歴情報を前記表示手段に表示させるようにしたことを特徴とする請求項１またはまたは請求項２または請求項３または請求項４または請求項５または請求項６または請求項７または請求項８または請求項９または請求項１０または請求項１１または請求項１２または請求項１３または請求項１４または請求項１５または請求項１６記載の通信端末装置。
【請求項１８】
前記通信履歴情報を、記録媒体を用いて可視出力する出力手段をさらに備えたことを特徴とする請求項１またはまたは請求項２または請求項３または請求項４または請求項５または請求項６または請求項７または請求項８または請求項９または請求項１０または請求項１１または請求項１２または請求項１３または請求項１４または請求項１５または請求項１６または請求項１７記載の通信端末装置。
【発明の詳細な説明】
【０００１】
【発明の属する技術分野】
本発明は、送信動作をより確実に行うことができる通信端末装置に関する。
【０００２】
【従来の技術】
従来では、一般に、ファクシミリ装置では、送信時にオペレータによって指定された宛先に発呼できなかった場合には、所定回数（例えば３回）まで繰り返し再発呼することで、宛先の回線が話中（ビジー）の場合でも可能な限り宛先と接続できるようにしている。
【０００３】
しかしながら、従来、例えば宛先の話中が長時間継続した場合などで再発呼の設定回数まで繰り返し発呼しても宛先と接続できなかったときには、その時点で宛先の発呼を終了していたので、かかる場合には再度送信のための設定入力を繰り返す必要があり、オペレータの手間がかかっていた。
【０００４】
また、画像蓄積機能を備えたファクシミリ装置では、送信画情報を蓄積して同様に再発呼するが、宛先を発呼できなかったときにはその宛先に伝送するために蓄積している画情報を消去しているので、画情報の蓄積も繰り返し行なう必要があり、さらに手間がかかっていた。
【０００５】
そこで、送信画情報の保存時刻および発呼復帰指示を入力するための操作入力手段を備え、指定された宛先を所定回数発呼しても当該宛先と接続できなかったとき、設定された保存時刻を経過するまでの間に発呼復帰指示が入力されたときには当該宛先への発呼動作を繰り返して、前記課題を解決するものも提案されている（特許文献１参照）。
【０００６】
【特許文献１】
特公平８−１０８９６号公報
【０００７】
【発明が解決しようとする課題】
しかしながら、このような従来装置では、再送信で通信が正常に終了した場合、それが前回の通信エラーした画情報の再送信によるものであるかどうかを判断することができず、例えば、前回の通信エラーをそのままレポート通知してしまうという不具合を生じることがあった。
【０００８】
本発明は、かかる実情に鑑みてなされたものであり、送信動作をより確実に行うことができる通信端末装置を提供することを目的としている。
【０００９】
【課題を解決するための手段】
本発明は、メッセージを表示する表示手段と、画情報を蓄積する画情報蓄積手段と、上記蓄積された画情報を発呼し送信する通信手段と、自装置の操作を入力するための操作入力手段とを備え、上記蓄積された画情報を送信するために指定された宛先へ、所定回数発呼しても通信が正常に終了しなかった場合には、所定の保存パラメータを参照した所定の条件が成立するまでの間に上記操作入力手段から発呼復帰指示が入力されると上記宛先へ繰り返し発呼動作を行う一方、通信の履歴情報には、上記発呼復帰指示が入力された際の発呼動作を含めた通信結果を、通信の都度保存するようにしたものである。
【００１０】
また、メッセージを表示する表示手段と、画情報を蓄積する画情報蓄積手段と、上記蓄積された画情報を発呼し送信する通信手段と、自装置の操作を入力するための操作入力手段とを備え、上記蓄積された画情報を送信するために指定された宛先へ、所定回数発呼しても通信が正常に終了しなかった場合には、所定の保存パラメータを参照した所定の条件が成立するまでの間に上記操作入力手段から発呼復帰指示が入力されると上記宛先へ繰り返し発呼動作を行う一方、通信の履歴情報に通信結果の保存項目を１つ設け、当該保存項目には、上記発呼復帰指示が入力された際の発呼動作を含めた通信結果を、通信の都度保存するようにしたものである。
【００１１】
また、メッセージを表示する表示手段と、画情報を蓄積する画情報蓄積手段と、上記蓄積された画情報を発呼し送信する通信手段と、自装置の操作を入力するための操作入力手段とを備え、上記蓄積された画情報を送信するために指定された宛先へ、所定回数発呼しても通信が正常に終了しなかった場合には、所定の保存パラメータを参照した所定の条件が成立するまでの間に上記操作入力手段から発呼復帰指示が入力されると上記宛先へ繰り返し発呼動作を行う一方、通信の履歴情報に通信結果の保存項目を複数設け、当該保存項目には、上記発呼復帰指示が入力された際の発呼動作を含めた通信結果を、通信の都度保存するようにしたものである。
【００１２】
また、メッセージを表示する表示手段と、画情報を蓄積する画情報蓄積手段と、上記蓄積された画情報を発呼し送信する通信手段と、自装置の操作を入力するための操作入力手段とを備え、送信時は、上記蓄積された画情報を送信するために指定された宛先へ、通常送信モードで所定回数発呼しても通信が正常に終了しなかった場合には、所定の保存パラメータを参照した所定の条件が成立するまでの間に上記操作入力手段から発呼復帰指示が入力されると再送信モードで上記宛先へ繰り返し発呼動作を行う一方、受信時は、上記通常送信モードに対応した受信動作と、上記再送信モードに対応した受信動作をそれぞれ行い、おのおのの受信動作について、通信の履歴情報には、通常送信モードと再送信モードの区別を保存するようにしたものである。
【００１３】
また、前記再送信モードは、伝送前手順中において、受信側へ通知する。
【００１４】
また、メッセージを表示する表示手段と、画情報を蓄積する画情報蓄積手段と、上記蓄積された画情報を発呼し送信する通信手段と、自装置の操作を入力するための操作入力手段とを備え、送信時は、上記蓄積された画情報を送信するために指定された宛先へ、通常送信モードで所定回数発呼しても通信が正常に終了しなかった場合には、所定の保存パラメータを参照した所定の条件が成立するまでの間に上記操作入力手段から発呼復帰指示が入力されると再送信モードで上記宛先へ繰り返し発呼動作を行うとともに、同一送信対象については、共通の識別情報を適用して受信側へ通知する一方、受信時は、上記通常送信モードに対応した受信動作と、上記再送信モードに対応した受信動作をそれぞれ行い、おのおのの受信動作について、通信の履歴情報には、通知された上記識別情報と通常送信モードと再送信モードの区別を保存するようにしたものである。
【００１５】
また、前記再送信モードと前記識別情報は、伝送前手順中において、受信側へ通知される。
【００１６】
また、メッセージを表示する表示手段と、画情報を蓄積する画情報蓄積手段と、上記蓄積された画情報を発呼し送信する通信手段と、自装置の操作を入力するための操作入力手段とを備え、上記蓄積された画情報を送信するために指定された宛先へ、通常送信モードで所定回数発呼しても通信が正常に終了しなかった場合には、所定の保存パラメータを参照した所定の条件が成立するまでの間に上記操作入力手段から発呼復帰指示が入力されると再送信モードで上記宛先へ繰り返し発呼動作を行うようにしたものである。
【００１７】
また、メッセージを表示する表示手段と、画情報を蓄積する画情報蓄積手段と、上記蓄積された画情報を発呼し送信する通信手段と、自装置の操作を入力するための操作入力手段とを備え、受信時、送信側より通知される通常送信モードに対応した受信動作と、再送信モードに対応した受信動作をそれぞれ行い、おのおのの受信動作について、通信の履歴情報には、通常送信モードと再送信モードの区別を保存するようにしたものである。
【００１８】
また、メッセージを表示する表示手段と、画情報を蓄積する画情報蓄積手段と、上記蓄積された画情報を発呼し送信する通信手段と、自装置の操作を入力するための操作入力手段とを備え、上記蓄積された画情報を送信するために指定された宛先へ、通常送信モードで所定回数発呼しても通信が正常に終了しなかった場合には、所定の保存パラメータを参照した所定の条件が成立するまでの間に上記操作入力手段から発呼復帰指示が入力されると再送信モードで上記宛先へ繰り返し発呼動作を行うとともに、同一送信対象については、共通の識別情報を適用して受信側へ通知するようにしたものである。
【００１９】
また、メッセージを表示する表示手段と、画情報を蓄積する画情報蓄積手段と、上記蓄積された画情報を発呼し送信する通信手段と、自装置の操作を入力するための操作入力手段とを備え、受信時、送信側より通知される上記通常送信モードに対応した受信動作と、上記再送信モードに対応した受信動作をそれぞれ行い、おのおのの受信動作について、通信の履歴情報には、送信側より通知された上記識別情報と通常送信モードと再送信モードの区別を保存するようにしたものである。
【００２０】
また、前記所定の保存パラメータは、保存をつづける保持時間に相当するものであり、前記所定の条件は、保存パラメータの時間に達するかあるいは超えることである。
【００２１】
また、前記所定の保存パラメータは、蓄積されている画情報の件数であり、前記所定の条件は、蓄積された画情報の件数が、上記保存パラメータに達するかあるいは超えることである。
【００２２】
また、前記所定の保存パラメータは、画情報を蓄積しているメモリの残量であり、前記所定の条件は、画情報を蓄積しているメモリの残量が、上記保存パラメータ以下になったことである。
【００２３】
また、前記所定の保存パラメータは、画情報を蓄積しているメモリ容量であり、前記所定の条件は、画情報を蓄積しているメモリの容量が、上記保存パラメータに達するかあるいは超えることである。
【００２４】
また、前記所定の保存パラメータは、時刻であり、前記所定の条件は、時刻が、上記保存パラメータで規定された時刻に達するかあるいは超えることである。
【００２５】
また、前記通信履歴情報を前記表示手段に表示させるようにしたものである。
【００２６】
また、前記通信履歴情報を、記録媒体を用いて可視出力する出力手段をさらに備えたものである。
【００２７】
【発明の実施の形態】
以下、添付図面を参照しながら、本発明の実施の形態を詳細に説明する。
【００２８】
図１は、本発明の一実施例にかかるグループ３ファクシミリ装置を示している。
【００２９】
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００３０】
スキャナ５は、所定の解像度で原稿画像を読み取るためのものであり、プロッタ６は、所定の解像度で画像を記録出力するためのものであり、操作表示部７は、このグループ３ファクシミリ装置を操作するためのもので、各種の操作キー、および、各種の表示器からなる。
【００３１】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００３２】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００３３】
網制御装置１１は、このグループ３ファクシミリ装置をアナログ公衆網ＰＳＴＮに接続するためのものであり、自動発着信機能を備えている。
【００３４】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１２に接続されており、これらの各要素間でのデータのやりとりは、主としてこの内部バス１２を介して行われている。
【００３５】
また、網制御装置１１とグループ３ファクシミリモデム１０との間のデータのやりとりは、直接行なわれている。
【００３６】
また、本実施例では、画情報の送信動作または受信動作を行うと、それらの送受信動作（通信動作）の履歴をあらわす通信履歴情報を作成して、保存する。この通信履歴情報の一例を図２（ａ）に示す。
【００３７】
この通信履歴情報は、通信日時、宛先名称、通信モード（送信、受信等の区別）、通信結果からなる。
【００３８】
図３および図４は、送信時の処理の一例を示している。
【００３９】
ユーザが送信原稿をスキャナ５にセットし（処理１０１）、操作表示部７を操作して宛先を入力すると（処理１０２）、スキャナ５によりセットされた送信原稿を読み取り（処理１０３）、それによって得た画像データを符号化復号化部８で符号化圧縮し、それによって得た画情報を画像蓄積装置９に蓄積する（処理１０４）。
【００４０】
そして、画情報の保存時間を判定するためのタイマＴＴを起動し（処理１０５）、発呼回数を保存するためのカウンタＨＣの値を０に初期設定し（処理１０６）、指定された宛先へ発呼し（処理１０７）、宛先が話中であるかどうかを調べる（判断１０８）。
【００４１】
判断１０８の結果がＮＯになるときには、所定のグループ３ファクシミリ送信動作を行って、処理１０４で蓄積した画情報を、宛先へ送信する（処理１０９）。この送信動作を終了すると、送信が正常に終了したか否かを調べ（判断１１０）、判断１１０の結果がＹＥＳになるときには、そのときに送信した画情報を消去し（処理１１１）、同一送信ジョブについて、通信履歴を既に作成しているかどうかを調べる（判断１１２）。
【００４２】
判断１１２の結果がＹＥＳになるときには、該当する通信履歴情報の通信結果を「ＯＫ」に更新して（処理１１３）、このときの動作を終了する。また、判断１１２の結果がＮＯになるときには、当該送信動作について、新たに上述したような通信履歴情報を作成し（処理１１４）、この処理を終了する。
【００４３】
また、判断１１０の結果がＮＯになるとき、および、判断１０８の結果がＹＥＳになるときで、送信動作が正常に終了しなかった場合には、当該送信動作について、送信結果として「ＮＧ」を保存した通信履歴情報を作成し（処理１１５）、カウンタＨＣの値を１つ増やし（処理１１６）、カウンタＨＣの値が、再発呼回数を規定する定数ＮＡ以上になっているかどうかを調べる（判断１１７）。
【００４４】
判断１１７の結果がＮＯになるときには、所定の再発呼待ち時間（例えば、３分間）を待機し（処理１１８）、処理１０７へ戻り、再発呼動作を行う。
【００４５】
また、判断１１７の結果がＹＥＳになるときには、タイマＴＴの値が所定の時間Ｔ１以上になっているかどうかを調べ（判断１１９）、判断１１９の結果がＹＥＳになるときには、画情報を消去して（処理１２２）、この処理を終了する。
【００４６】
また、判断１１９の結果がＮＯになるときには、発呼動作を復帰するかどうかを問い合わせる発呼復帰操作入力ガイダンスメッセージを操作表示部７へ表示して、ユーザに、発呼復帰の操作を要求し（処理１２０）、発呼復帰操作があるかどうかを調べ（判断１２１）、判断１２１の結果がＮＯになるときには、判断１１９へ戻る。
【００４７】
また、判断１２１の結果がＹＥＳになるときには、発呼復帰動作を行う。すなわち、この場合には、判断１０５へ戻り、タイマＴＴを再起動し、再発呼動作を含めた発呼動作を繰り返し行う。
【００４８】
このようにして、本実施例では、再発呼動作を含めた発呼動作（一群の発呼動作）を終了した時点で画情報の送信動作が正常に完了していない場合には、画情報を蓄積してから、時間Ｔ１を経過するまでの間、発呼復帰を促すメッセージが操作表示部７へ表示され、ユーザが発呼復帰を指令した場合には、再発呼動作を含めた発呼動作が繰り返し行われるので、重要な送信動作を確実に実行させることができる。
【００４９】
また、同一送信ジョブについては、同一の通信履歴情報を適用するようにしているので、例えば、発呼復帰動作において送信が正常に終了した場合、その時点で、通信結果に「ＯＫ」が保存され、その結果、通信が正常に終了した旨が、適切に通信履歴情報に保存される。
【００５０】
すなわち、送信が正常に終了しなかった状態では、図５（ａ）に示したような通信管理レポートが作成されて表示出力されるが、発呼復帰動作において送信が正常に終了した場合、その時点での通信管理レポートの内容は、同図（ｂ）に示すように、現在の送信結果の内容を適切に反映するようなものとなる。
【００５１】
ところで、最初の送信動作がエラーとなり、その後の送信動作で正常に終了した場合、そのような経緯があった旨を、通信管理レポートで表現できれば、ユーザに対して、適切な通信履歴を通知することができる。
【００５２】
例えば、図６（ａ），（ｂ）に示すように、最初の送信動作がエラーになった直後における通信管理レポートでは、当該通信について、結果を「ＮＧ」と表示し、その後の送信動作において正常に終了した場合には、当該通信について、結果を「ＮＧ→ＯＫ」と表示する。
【００５３】
このような通信管理レポートを作成できるようにするためには、例えば、図２（ｂ）に示すように、通信履歴情報において通信結果を保存するものとして、通信結果１と通信結果２を設ける。そして、最初の送信動作がエラーになった場合には通信結果１に「ＮＧ」と保存し、その後の送信動作において正常に終了した場合には通信結果２に「ＯＫ」と保存することとすればよい。
【００５４】
さて、上述した実施例のように、発呼復帰動作における送信動作（以下、「再送信動作」という）を行うことで、より通信の確実性を向上しようとした場合、受信側では、同一画情報の受信動作が、当該画情報を正常に受信完了するまで、繰り返し行われることとなる。
【００５５】
そして、それぞれの受信動作について、受信側では、最初の送信動作にかかる受信動作であるのか、再送信動作にかかる受信動作であるのか、判別することができないため、通信管理レポートの内容を見ても、ユーザが適切に通信経過を判断できなくなる。
【００５６】
このような不具合を解消するためには、再送信動作を行う場合には、送信側は、再送信動作モードである旨を受信側へ通知し、受信側では、再送信である旨を通信履歴情報に保存できるようにすればよい。
【００５７】
したがって、この場合の通信履歴情報は、例えば、図２（ｃ）に示すように、備考欄を備えたものとなり、この備考欄に、再送信である旨を保存する。そして、通信管理レポートには、図７（ａ）に示すように、備考表示欄を設けて、再送信である旨を明記するようにする。
【００５８】
このようにすることで、受信側のユーザは、再送信が行われて、受信動作が正常に終了した旨を確認することができる。
【００５９】
また、送信ジョブに付与されるファイル番号を、受信側で参照できるようにすれば、通信結果が「ＮＧ」であった通信と、通信結果が「ＯＫ」であった通信との関係をより明確にすることができる。
【００６０】
その場合の通信履歴情報は、例えば、図２（ｄ）に示すように、さらにファイル番号の欄を備えたものとなり、通信管理レポートは、図７（ｂ）に示すように、ファイル番号の表示欄を追加したものとなる。
【００６１】
また、送信側から受信側への再送信モードである旨の通知、および、ファイル番号の通知は、伝送前手順において送信側から受信側へ送信される適宜な伝送手順信号（例えば、信号ＮＳＳ）を用いて行うことができる。
【００６２】
図８および図９は、この場合の送信時の処理の一例を示している。
【００６３】
ユーザが送信原稿をスキャナ５にセットし（処理２０１）、操作表示部７を操作して宛先を入力すると（処理２０２）、スキャナ５によりセットされた送信原稿を読み取り（処理２０３）、それによって得た画像データを符号化復号化部８で符号化圧縮し、それによって得た画情報を画像蓄積装置９に蓄積する（処理２０４）。
【００６４】
そして、画情報の保存時間を判定するためのタイマＴＴを起動し（処理２０５）、発呼回数を保存するためのカウンタＨＣの値を０に初期設定し（処理２０６）、指定された宛先へ発呼し（処理２０７）、宛先が話中であるかどうかを調べる（判断２０８）。
【００６５】
判断２０８の結果がＮＯになるときには、そのときの送信動作が再送信動作であるかどうかを調べ（判断２０９）、判断２０９の結果がＮＯになるときには、通常の所定のグループ３ファクシミリ送信動作を行って、処理２０４で蓄積した画情報を、宛先へ送信する（処理２１０）。また、判断２０９の結果がＹＥＳになるときには、伝送前手順において、再送信モードである旨を通知して、処理２０４で蓄積した画情報を送信する再送信処理（処理２１１）を行う。この送信処理および再送信処理では、通信履歴情報として、図２（ｄ）のものを用いる場合には、ファイル番号も通知する。
【００６６】
このように、送信動作を終了すると、送信が正常に終了したか否かを調べ（判断２１２）、判断２１２の結果がＹＥＳになるときには、そのときに送信した画情報を消去し（処理２１３）、所定の通信履歴情報を作成（通常送信動作の場合）、または、更新して（再送信動作の場合）（処理２１４）、このときの動作を終了する。
【００６７】
また、判断２１２の結果がＮＯになるとき、および、判断２０８の結果がＹＥＳになるときで、送信動作が正常に終了しなかった場合には、当該送信動作について、送信結果として「ＮＧ」を保存した通信履歴情報を作成し（処理２１５）、カウンタＨＣの値を１つ増やし（処理２１６）、カウンタＨＣの値が、再発呼回数を規定する定数ＮＡ以上になっているかどうかを調べる（判断２１７）。
【００６８】
判断２１７の結果がＮＯになるときには、所定の再発呼待ち時間（例えば、３分間）を待機し（処理２１８）、処理２０７へ戻り、再発呼動作を行う。
【００６９】
また、判断２１７の結果がＹＥＳになるときには、タイマＴＴの値が所定の時間Ｔ１以上になっているかどうかを調べ（判断２１９）、判断２１９の結果がＹＥＳになるときには、画情報を消去して（処理２２２）、この処理を終了する。
【００７０】
また、判断２１９の結果がＮＯになるときには、発呼動作を復帰するかどうかを問い合わせる発呼復帰操作入力ガイダンスメッセージを操作表示部７へ表示して、ユーザに、発呼復帰の操作を要求し（処理２２０）、発呼復帰操作があるかどうかを調べ（判断２２１）、判断２２１の結果がＮＯになるときには、判断２１９へ戻る。
【００７１】
また、判断２２１の結果がＹＥＳになるときには、発呼復帰動作を行う。すなわち、この場合には、判断２０５へ戻り、タイマＴＴを再起動し、再発呼動作を含めた発呼動作を繰り返し行う。
【００７２】
図１０は、受信時の処理の一例を示している。
【００７３】
着信検出すると（処理３０１）、着信応答して、所定の伝送前手順を行う（処理３０２）。ここで、発側より再送信モードが通知されたかどうかを調べ（判断３０３）、判断３０３の結果がＮＯになるときには、操作表示部７に通常受信動作を行う旨を表示し（処理３０４）、また、判断３０３の結果がＹＥＳになるときには、操作表示部７に再受信動作を行う旨を表示して（処理３０５）、ユーザに対して、受信動作のモードの区別を通知する。
【００７４】
そして、所定の受信処理を行って（処理３０６）、画情報を受信する。また、この受信動作を終了するまで、受信モードの表示と受信処理を継続して行う（判断３０７のＮＯループ）。
【００７５】
受信処理が終了し、判断３０７の結果がＹＥＳになると、そのときの受信動作について、通信履歴情報を作成し（処理３０８）、この受信動作を終了する。このときの受信動作が再送信動作にかかるものである場合には、再送信モードに対応した通信履歴情報（備考欄に「再送信」を保存）を作成する。
【００７６】
なお、上述した実施例では、画像蓄積装置９に保存したファイルを保持する条件として、「蓄積保存してから所定時間を経過しない」という条件を採用しているが、それ以外の条件を採用することもできる。例えば、「蓄積されている画情報の件数が所定値以内であれば保持」、「画像蓄積装置９の残量が所定値以上であれば保持」、「所定時刻を経過するまで保持」等である。
【００７７】
また、上述した実施例では、「所定回数発呼しても通信が正常に終了しなかった場合」に発呼復帰動作を行えるようにしているが、「相手装置が他の装置と通信中であったり、相手装置に異常が発生している場合等でビジー状態であるために通信できなかった場合」、「相手装置と接続できたが、なんらかの原因（例えば、回線上のノイズ等）で通信が正常終了しなかった場合」に発呼復帰動作を行えるようにすることもできる。
【００７８】
また、上述した実施例における画情報の消去動作は、「画情報そのものを画像蓄積装置９より消去する」、「画情報または画情報の管理情報の１つ以上を消去して、当該画情報へアクセスできなくする」という方法を採用することができる。
【００７９】
【発明の効果】
以上説明したように、本発明によれば、再発呼動作を含めた発呼動作（一群の発呼動作）を終了した時点で画情報の送信動作が正常に完了していない場合には、画情報を蓄積してから、時間Ｔ１を経過するまでの間、発呼復帰を促すメッセージが操作表示部７へ表示され、ユーザが発呼復帰を指令した場合には、再発呼動作を含めた発呼動作が繰り返し行われるので、重要な送信動作を確実に実行させることができるという効果を得る。
【００８０】
また、同一送信ジョブについては、同一の通信履歴情報を適用するようにしているので、例えば、発呼復帰動作において送信が正常に終了した場合、その時点で、通信結果に「ＯＫ」が保存され、その結果、通信が正常に終了した旨が、適切に通信履歴情報に保存されるという効果も得る。
【００８１】
また、再送信動作を行う場合には、送信側は、再送信動作モードである旨を受信側へ通知し、受信側では、再送信である旨を通信履歴情報に保存できるようにしているので、受信側では、最初の送信動作にかかる受信動作であるのか、再送信動作にかかる受信動作であるのか、判別することができ、通信管理レポートの内容により、ユーザが適切に通信経過を判断できることとなるという効果も得る。
【図面の簡単な説明】
【図１】本発明の一実施例にかかるグループ３ファクシミリ装置の構成例を示したブロック図。
【図２】通信履歴情報の一例を示した概略図。
【図３】送信処理の一例を示したフローチャート。
【図４】送信処理の一例を示したフローチャート（図３の続き）。
【図５】通信管理レポートの一例を示した概略図。
【図６】通信管理レポートの他の例を示した概略図。
【図７】通信管理レポートのさらに他の例を示した概略図。
【図８】送信処理の他の例を示したフローチャート。
【図９】送信処理の他の例を示したフローチャート（図８の続き）。
【図１０】受信処理の一例を示したフローチャート。
【符号の説明】
１  システム制御部
２  システムメモリ
３  パラメータメモリ
９  画像蓄積装置
【図１】
2004247933.tif 000003
【図２】
2004247933.tif 000004
【図３】
2004247933.tif 000005
【図４】
2004247933.tif 000006
【図５】
2004247933.tif 000007
【図６】
2004247933.tif 000008
【図７】
2004247933.tif 000009
【図８】
2004247933.tif 000010
【図９】
2004247933.tif 000011
【図１０】
2004247933.tif 000012